(57)【要約】【課題】額装品全体から均一に香りがすることで視覚と嗅覚の両方から絵を楽しむことができる額装品を提供する。【解決手段】香りの成分が内包されたマイクロカプセルを分散固着したプリント立毛布帛を額装した香りのする額装品である。【選択図】図１
0003114161.tif 000002
【実用新案登録請求の範囲】
【請求項１】
香りの成分が内包されたマイクロカプセルを分散固着したプリント立毛布帛を額装したことを特徴とする香りのする額装品。
【請求項２】
前記立毛布帛がポリエステル繊維１００％からなることを特徴とする請求項１記載の額装品。
【請求項３】
前記立毛布帛の繊維の単繊維太さが２〜２０μｍであり、繊維密度（パイル密度）が３００〜２０００本／ｍｍ２であり、かつパイル長が１．５〜３．０ｍｍであることを特徴とする請求項１記載の額装品。
【請求項４】
前記プリントがインクジェットプリントであることを特徴とする請求項１記載の額装品。
【考案の詳細な説明】
【技術分野】
【０００１】
本考案は、視覚と嗅覚で絵を楽しむことができる香りのする額装品に関するものである。
【背景技術】
【０００２】
従来、香りのする額装品としては特許文献１にみられるような額縁の一部にポケットを設けてその中に芳香剤をセットしたものが提案されている。しかしながらこのような構造であると、額装品全体から均一に香りがするというものではなく、ある部分では香りが強すぎたり、またある部分では香りがしなかったりといったバラツキが生じやすいものであった。
【０００３】
【特許文献１】実開平０６−０１１５６３号公報
【考案の開示】
【考案が解決しようとする課題】
【０００４】
そこで本考案は、額装品全体から均一に香りがすることで視覚と嗅覚の両方から絵を楽しむことができる額装品の提供を目的とするものである。
【課題を解決するための手段】
【０００５】
本考案は上記課題を解決するため、次のような手段を実施するものである。
【０００６】
すなわち（１）香りの成分が内包されたマイクロカプセルを分散固着したプリント立毛布帛を額装した香りのする額装品に存する。
【０００７】
また（２）前記立毛布帛がポリエステル繊維１００％からなることが好ましい。
【０００８】
また（３）前記立毛布帛の繊維の単繊維太さが２〜２０μｍであり、繊維密度（パイル密度）が３００〜２０００本／ｍｍ２であり、かつパイル長が１．５〜３．０ｍｍであることが好ましい。
【０００９】
また（４）前記プリントがインクジェットプリントであることが好ましい。
【考案の効果】
【００１０】
本考案によれば、視覚と嗅覚で絵を楽しむことができる香りのする額装品を提供でき、よりよく日常生活を楽しむことができる。またプリント物に香りの成分を分散固着することにより額装品全体から均一に香りをさせることが可能となり、さらに立毛布帛を使用することにより香りの成分が内包されたマイクロカプセルを充分に固着させることが出来、またプリント物を鮮明な画質で記録することが可能である。
【考案を実施するための最良の形態】
【００１１】
以下、図面に示す実施の形態について説明する。
図１は本考案に係る額装品の正面図である。本考案に係る額装品１は、プリント立毛布帛２、裏板３および額縁４からなる。
【００１２】
本考案においてプリント立毛布帛２の基材としては立毛布帛が使用される。その理由については、立毛であると組織の表面積が大きくなり、香りの成分が内包されたマイクロカプセルを多く固着させることが出来、強い香りを持続させることが可能であり、また立毛布帛は紙や樹脂シートなどの他の基材に比べ光の反射が少ないためにプリントされた画像をどの角度から見てもきれいに見ることが出来、鮮明な画質を得ることが出来るためである。
【００１３】
ここで本考案において使用される立毛布帛とは、地組織とその表面に立毛を有している織物、編物、不織布、および植毛品などである。具体的には、モケット、ベルベット、別珍などのパイル編織物、起毛加工して得られる起毛編織物、ポールトリコットおよびダブルラッセルなど、通常使用される立毛布帛が挙げられる。また立毛の形状に関しては、大別してループ状のものとストレートな形状のものがあげられるが、緻密な立毛の配列ができるという点でストレートな形状のものが好ましい。
【００１４】
立毛布帛を構成する繊維については、天然繊維、再生繊維、半合成繊維、および合成繊維の中から自由に選択でき、これらを単独あるいは混合させて用いることができる。そのなかでもポリエステル系繊維、ポリアミド系繊維、ポリアクリル系繊維などの合成繊維は、その製法上均一な先端断面を確保できる点、および単繊維太さを調整できる点で好ましい。さらには耐久性や寸法安定性を考慮すると、ポリエステル繊維１００％の立毛布帛であることがより好ましい。またポリエステル繊維１００％とすることによって香りの期間が過ぎた後に回収、再度、溶融紡糸するという、所謂、ケミカルリサイクルも可能である。
【００１５】
また繊維の単繊維太さについては、プリント物の微細な表現を可能にすることから２〜２０μｍ径の範囲であることが好ましい。またさらにはより鮮明な画質のプリント物とするために、繊維密度（パイル密度）を３００〜２０００本／ｍｍ２とすることやパイル長を１．５〜３．０ｍｍとすることがより好ましい。
【００１６】
立毛布帛に画像をプリントする方法については、公知のプリント方法であればよく、例えばスクリーン捺染、ロータリー捺染、インクジェットプリントが挙げられる。その中でも、近年においては写真調に印刷されたものや小ロットに対する需要が高まりを見せており、その点を考慮すると、インクジェット方式でプリントされたものが好ましい。ここでインクジェットプリント用として使用されるインクとしては、有機顔料や無機顔料、染料を水または有機溶剤に溶解または分散させたインクが挙げられる。
【００１７】
また本考案においては立毛布帛に香りの成分が内包されたマイクロカプセルを分散固着させることにより布帛全体を均一に香り付けすることが出来る。そして布帛組織の自然収縮や人が布帛に触れることによりマイクロカプセルが破壊され、香りが発散するようになるのである。
【００１８】
本考案において使用される香りの成分が内包されたマイクロカプセルについては、特に限定されるものではなく、市販されているものを使用することが出来、各自の好みに合わせて天然香料や合成香料等の香りを選択すればよい。マイクロカプセルの形状等についても特に限定されないが、粒径で２〜２０μｍのものを利用することができる。またマイクロカプセルを立毛布帛に分散固着させる方法についても特に限定されるものではなく、ウレタン系、アクリル系、シリコーン系、酢酸ビニル系等の樹脂をバインダーとして用い、コーティング法や含浸法等の従来公知の方法を用いて行うことが出来る。
【００１９】
また裏板３および額縁４の材質についても特に限定されるものではなく、個人の好みにあわせたものを選択すればよい。
【産業上の利用可能性】
【００２０】
前述したとおり本考案の額装品は、従来のものに比べて視覚的にも嗅覚的にも優れた効果を発揮することが出来るため、この利用価値は大であり実施化の可能性は大いにある。
【図面の簡単な説明】
【００２１】
【図１】本考案に係る額装品の正面図
【符号の説明】
【００２２】
１  額装品
２  プリント立毛布帛
３  裏板
４  額縁
【図１】
0003114161.tif 000003